(57)【特許請求の範囲】
【請求項１】
手袋形状をし、指の部分に噴射ノズルを有するハンドピース（ｈａｎｄ−ｐｉｅｃｅ）（１０）と、
外気を吸入、加熱して温風を発生させるデバイス本体（２０）と、
前記デバイス本体（２０）と前記ハンドピース（１０）の噴射ノズル（１４）とを相互連結することにより、前記デバイス本体（２０）から発生する温風を前記ハンドピース（１０）の噴射ノズル（１４）へ供給する送風チューブ（３０）とを含んでなり、
前記デバイス本体（２０）は、
外部から空気を吸入して風を発生させる送風ファン（２１）と、
前記送風ファン（２１）の内側に設けられ、前記送風ファン（２１）により吸入された空気を加熱して温風に切り替えるヒーター（２２）と、
内部に前記送風ファン（２１）及び前記ヒーター（２２）を備え、前記送風チューブ（３０）に連結され、前記送風ファン（２１）及び前記ヒーター（２２）により発生した温風を送風チューブ（３０）へ案内して流入させる送風ケース（２３）と、
電源を制御すると同時に、前記送風ファン（２１）及び前記ヒーター（２２）により発生する温風の温度及び噴射量を調節するためのコントローラとを含み、
前記コントローラは、
前記デバイス本体（２０）の電源を制御し、前記送風ファン（２１）の回転速度及び前記ヒーター（２２）の発熱温度を制御する制御モジュールと、
前記制御モジュールに制御信号を入力して、前記デバイス本体（２０）の電源をオン（ｏｎ）またはオフ（ｏｆｆ）させ、前記送風ファン（２１）及び前記ヒーター（２２）により発生する温風の温度及び噴射量を設定するための制御ボタン（２４）とを含み、前記ハンドピース（１０）をユーザーの手に着用した状態で毛髪を乾燥及びスタイリングするヘアトリートメントデバイスにおいて、
前記ハンドピース（１０）には、前記コントローラの制御モジュールに連結され、前記デバイス本体（２０）の電源をオン（ｏｎ）またはオフ（ｏｆｆ）させ、前記送風ファン（２１）及び前記ヒーター（２２）により発生する温風の温度及び噴射量を設定するための補助制御ボタン（２６）が備えられることを特徴とする、ヘアトリートメントデバイス。
【請求項２】
前記ハンドピース（１０）は、ユーザーの両手に同時に着用できるように一対備えられることを特徴とする、請求項１に記載のヘアトリートメントデバイス。
【請求項３】
前記コントローラには、前記ヘアトリートメントデバイスの運転状態を表示するディスプレイ部（２５）が備えられることを特徴とする、請求項１に記載のヘアトリートメントデバイス。
【請求項４】
前記ハンドピース（１０）は、着用時にユーザーの指が露出するように、ハンドピース（１０）にそれぞれ形成されたハンドピース指（１２）の腹部分が開放されていることを特徴とする、請求項１に記載のヘアトリートメントデバイス。
【請求項５】
前記ハンドピース指（１２）には、ハンドピース指（１２）をユーザーの指に固定させる固定バンド（１３）が備えられることを特徴とする、請求項４に記載のヘアトリートメントデバイス。
【請求項６】
前記固定バンド（１３）には、遠赤外線を発光する遠赤外線ランプ（４０）が備えられることを特徴とする、請求項５に記載のヘアトリートメントデバイス。
１に記載し、図面符号を併記することが良いと思います２）によって
【請求項７】
前記噴射ノズル（１４）は、前記ハンドピース（１０）を構成するそれぞれの指の末端部に少なくとも一つずつ備えられることを特徴とする、請求項１に記載のヘアトリートメントデバイス。
【請求項８】
前記送風チューブ（３０）は、
一端部が前記デバイス本体（２０）に連結され、他端部が前記ハンドピース（１０）に連結されるが、
前記送風チューブ（３０）の他端部は、前記ハンドピース（１０）、及び該ハンドピース（１０）にそれぞれ形成されたハンドピース指（１２）を貫いて設けられ、前記ハンドピース指（１２）に備えられた噴射ノズル（１４）の数だけ多岐に分岐されてそれぞれの噴射ノズル（１４）に連結されることを特徴とする、請求項７に記載のヘアトリートメントデバイス。
【請求項９】
前記デバイス本体（２０）の内部には陰イオン発生器（６０）が備えられることを特徴とする、請求項１に記載のヘアトリートメントデバイス。
【請求項１０】
前記ハンドピース（１０）に形成されるそれぞれのハンドピース指（１２）のいずれか一つには水分測定器（５０）が備えられることを特徴とする、請求項１に記載のヘアトリートメントデバイス。
【発明の詳細な説明】
【技術分野】
【０００１】
本発明は、多機能ヘアトリートメントデバイスに係り、さらに詳しくは、手袋形状をし、指の部分に多数の噴射ノズルを有する一対のハンドピース（ｈａｎｄ−ｐｉｅｃｅｓ）と、前記一対のハンドピースに送風チューブを介して連結され、外気を吸入、加熱して前記一対のハンドピースへ供給するデバイス本体とを含んでなり、ユーザーが毛髪及び頭皮を乾かす際に、両手に一対のハンドピースを着用して指で頭皮及び毛髪をマッサージしながら、ハンドピース指に備えられた多数の噴射ノズルを介して毛髪及び頭皮の隅々に温風を噴射することにより、迅速に毛髪及び頭皮を乾燥することができるとともに、デバイス本体に備えられたコントローラによってユーザーの毛髪及び頭皮の状態に合わせて温風の温度及び排出量を制御することができるため、効果的に毛髪及び頭皮を乾燥することができ、毛髪乾燥過程で毛髪を指で触りながら乾燥することができるため、容易く所望のヘアスタイルを演出することができ、必要に応じて頭皮及び毛髪に遠赤外線を照射し或いは陰イオンを供給することができ、これと同時に頭皮及び毛髪の水分状態を測定することができて毛髪及び頭皮の管理に役立てることができる、多機能ヘアトリートメントデバイスに関する。
【背景技術】
【０００２】
一般に、ヘアドライヤーは、濡れた状態の毛髪及び頭皮を乾かしたり毛髪をスタイリングしたりするために使用する。
【０００３】
このようなヘアドライヤーは、内部にコイルヒーター及び送風ファンを備え、熱風モードの際には送風ファンにより発生する風をコイルヒーターを介して加熱して熱風を排出し、冷風モードの際にはコイルヒーターの稼動なしで、送風ファンにより発生する風を排出し、停止モードの際には電源をオフ（ＯＦＦ）させて熱風または冷風の排出を停止する。
【０００４】
上述したように、ヘアドライヤーは、熱風、冷風及び停止などの段階に区分されて作動し、これにより、ユーザーが所望の風の温度及び強度を設定することができないため、ユーザーの頭皮状態及び毛髪状態を問わずに毛髪の乾燥が行われるので、丁寧な毛髪乾燥が行われ難いという問題点がある。
【０００５】
また、ヘアドライヤーを用いて毛髪を乾燥する過程では、ヘアドライヤーを握って毛髪のところどころにそれぞれ風を噴射しなければならないことにより、毛髪及び頭皮の隅々まで乾燥し難く、これにより毛髪を迅速に乾かすために熱風を利用する場合、ヘアドライヤーから排出される熱風は正確な温度を把握し難いため、長時間利用したり未熟な使用によりヘアドライヤーを毛髪に近寄せて利用したりするときに、高温の熱風により毛髪及び頭皮が損傷してしまうことがある。
【０００６】
さらに、冷風を利用する場合でも、必要以上に毛髪及び頭皮が乾いてしまうときは、損傷を引き起こす可能性のある要因が発生することがある。
【０００７】
また、上述したヘアドライヤーを使ってヘアスタイルを演出するためには、一方の手にはヘアドライヤー、他方の手には櫛を握って髪を所望の形状に梳かしながら、その部分に熱風を加えて髪型をスタイリングしているが、髪を全体的にスタイリングする場合、両手に持ったヘアドライヤーと櫛の位置を入れ替えながらスタイリングをしなければならない。よって、高難度の技術が習得されていない場合は、容易に行うことができず所望のヘアスタイルを演出することが難しいという問題点があった。
【発明の概要】
【発明が解決しようとする課題】
【０００８】
本発明は、前述した問題点を解決するために案出されたもので、その目的は、手袋形状をし、指の部分に多数の噴射ノズルを有する一対のハンドピース（ｈａｎｄ−ｐｉｅｃｅｓ）と、前記一対のハンドピースに送風チューブを介して連結され、外気を吸入、加熱して前記一対のハンドピースへ供給するデバイス本体とを含んでなり、ユーザーが毛髪と頭皮を乾かす際に、両手に一対のハンドピースを着用して指で頭皮及び毛髪をマッサージしながら、ハンドピース指に備えられた多数の噴射ノズルを介して毛髪及び頭皮の隅々に温風を噴射することにより、迅速に毛髪及び頭皮を乾燥することができるとともに、デバイス本体に備えられたコントローラによってユーザーの毛髪及び頭皮の状態に合わせて温風の温度及び排出量を制御することができるため、効果的に毛髪及び頭皮を乾燥することができ、毛髪乾燥過程で毛髪を指で触りながら乾燥することができるため、容易く所望のヘアスタイルを演出することができ、必要に応じて頭皮及び毛髪に遠赤外線を照射し或いは陰イオンを供給することができ、これと同時に頭皮及び毛髪の水分状態を測定することができて毛髪及び頭皮の管理に役立てることができる、多機能ヘアトリートメントデバイスを提供することにある。
【課題を解決するための手段】
【０００９】
上記目的を達成するための本発明は、ヘアトリートメントデバイスにおいて、手袋形状をし、指の部分に噴射ノズルを有するハンドピース（ｈａｎｄ−ｐｉｅｃｅ）と；外気を吸入、加熱して温風を発生させるデバイス本体と；前記デバイス本体と前記ハンドピースの噴射ノズルとを相互連結することにより、前記デバイス本体から発生する温風を前記ハンドピースの噴射ノズルへ供給する送風チューブと；を含んでなり、ユーザーが前記ハンドピースを手に着用した状態で毛髪を乾燥及びスタイリングすることができるように構成されたことを特徴とする。
【発明の効果】
【００１０】
本発明に係る多機能ヘアトリートメントデバイスは、ユーザーが毛髪及び頭皮を乾かす際に、両手に一対のハンドピースを着用して指で頭皮及び毛髪をマッサージしながら、ハンドピース指に備えられた多数の噴射ノズルを介して毛髪及び頭皮の隅々に温風を噴射することにより、相対的に低温の温風でも毛髪及び頭皮の乾燥を迅速かつ容易に行うことができるうえ、毛髪を触りながら乾燥することができて容易く所望のヘアスタイルを演出することができるという効果がある。
【００１１】
さらに、ハンドピースの着用時にユーザーの指が露出することにより、毛髪及び頭皮を乾燥する過程で、指を利用して容易に頭皮をマッサージすることができるため、頭皮の健康にも役立てることができる。
【００１２】
また、デバイス本体に備えられたコントローラによって、ハンドピースの噴射ノズルを介して噴射される温風の温度及び噴射量を調節して使用することができるため、ユーザーの毛髪及び頭皮の状態に合わせて適切に調節して効果的に毛髪を乾燥することができる。
【００１３】
また、本発明に係る多機能ヘアトリートメントデバイスには、遠赤外線ランプ、イオン発生器及び水分測定器が備えられており、ユーザーの毛髪及び頭皮に遠赤外線を照射するか或いは陰イオンを供給することができて毛髪及び頭皮に有益な効果を与えることができ、水分測定器を用いて毛髪及び頭皮の水分状態を随時測定することができるため、必要以上の毛髪及び頭皮の乾燥による損傷誘発を防止することができるという効果がある。
【図面の簡単な説明】
【００１４】
【図１】本発明の一実施例に係る多機能ヘアトリートメントデバイスを示す図である。
【図２】本発明の一実施例に係るハンドピースの構造を示す斜視図である。
【図３】本発明の一実施例に係るハンドピースの構造を示す斜視図である。
【図４】本発明の一実施例に係るハンドピースに遠赤外線ランプ及び水分測定器をさらに備えた構造を示す図である。
【図５】本発明の一実施例に係るデバイス本体内にイオン発生器をさらに備えた構造を示す図である。
【発明を実施するための形態】
【００１５】
以下、本発明の実施例について詳細に説明する。なお、本発明はその要旨を逸脱しない限り、これらの実施例に限定されない。
【００１６】
図１は本発明の一実施例に係る多機能ヘアトリートメントデバイスを示す図、図２及び図３は本発明の一実施例に係るハンドピースの構造を示す斜視図である。
【００１７】
図１〜図３に示すように、本発明の一実施例に係る多機能ヘアトリートメントデバイスは、手袋形状をし、指の部分に噴射ノズル１４を有する一対のハンドピース（ｈａｎｄ−ｐｉｅｃｅｓ）１０と、外気を吸入、加熱して温風を発生させるデバイス本体２０と、前記デバイス本体２０と前記ハンドピース１０の噴射ノズル１４とを相互連結することにより、前記デバイス本体２０から発生する温風を前記ハンドピース１０の噴射ノズル１４へ供給する送風チューブ３０とを含んでなる。
【００１８】
つまり、このように構成された多機能ヘアトリートメントデバイスは、ユーザーが毛髪及び頭皮を乾かす際に、手袋形状をする一対のハンドピースを両手に着用して指で頭皮及び毛髪をマッサージしながら、ハンドピース指に備えられた多数の噴射ノズルを介して毛髪及び頭皮の隅々に温風を噴射することにより、迅速に毛髪及び頭皮を乾燥することができるとともに、毛髪乾燥過程で毛髪を指で触りながら乾燥することができて容易く所望のヘアスタイルを演出することができる。
【００１９】
次に、本発明の一実施例に係る多機能ヘアトリートメントデバイスの構成を詳細に説明する。一対のハンドピース１０は、手袋形状をし、一側にはユーザーの両手にそれぞれ着用できるようにユーザーの手が挿入される開口部１１を有し、着用の際に、ユーザーの指の腹部分を除いた指の背部分、手の甲及び手のひらを包むように形成される。
【００２０】
すなわち、図２及び図３に示すように、手袋形状のハンドピース１０に設けられたそれぞれのハンドピース指１２は、ユーザーの指の背部分を覆うように形成されているとともに、ハンドピース指１２の腹部分は開放されており、前述のように構成されたハンドピース１０をユーザーが着用するとき、ユーザーの指の腹部分がハンドピース１０から露出する。
【００２１】
ここで、ユーザーの指の腹部分が露出するようにハンドピース１０を形成する理由は、後述する噴射ノズル１４を介して毛髪及び頭皮を乾燥する過程で、ユーザーが指を利用して直接頭皮をマッサージすることができるようにすることにより、毛髪及び頭皮の状態を感知することができると同時に、マッサージ効果によって頭皮の健康に役立てるようにするためである。
【００２２】
このとき、上述のように形成されたハンドピース１０は、ハンドピース指１２がユーザーの指の背部を覆うだけなので、ハンドピース指１２がユーザーの指に固定できるようにハンドピース指１２に固定バンド１３が備えられる。
【００２３】
つまり、前記固定バンド１３は、伸縮性のある材質からなり、両端がハンドピース指１２の両側に固定されており、ユーザーがハンドピース１０を着用するとき、固定バンド１３をユーザーの指に嵌めてハンドピース指１２を容易にユーザーの指に固定させることができる。
【００２４】
ここで、本実施例では、ハンドピース指１２に固定バンド１３が備えられている構成について説明しているが、固定バンド１３以外にも、様々な種類の紐やマジックテープ（登録商標）などを用いることができる。
【００２５】
上述したようなハンドピース１０は、伸縮性のある布や合成樹脂材質のものを採用することができ、後述するデバイス本体２０による熱風にも形状が変形しない耐熱性材質からなることが好ましい。
【００２６】
また、ハンドピース１０に形成されたそれぞれのハンドピース指１２には、ユーザーの毛髪及び頭皮を乾燥することができるように風を噴射する噴射ノズル１４が備えられる。
【００２７】
すなわち、噴射ノズル１４は、ハンドピース１０に形成されたそれぞれのハンドピース指１２に少なくとも一つずつ備えられ、後述するデバイス本体２０から発生する温風を送風チューブ３０を介して受け取って外部へ噴射するように構成される。
【００２８】
このとき、図３に示すように、ハンドピース指１２の腹部分が開放されているため、噴射ノズル１４は、ハンドピース指１２の端部に備えられることが好ましく、これにより、ユーザーがハンドピース１０を着用して毛髪を乾かすとき、指を動かし、ハンドピース指１２に備えられた噴射ノズル１４の噴射方向を変えながら毛髪及び頭皮に向けて容易く風を噴射することができる。
【００２９】
本実施例では、ハンドピース１０に形成されたそれぞれのハンドピース指１２の端部に３つずつの噴射ノズル１４が備えられており、ユーザーがハンドピース指１２の噴射ノズル１４を用いて毛髪を乾かすとき、毛髪に向けて多量の温風を多角度で噴射することができる。
【００３０】
すなわち、図２及び図３に示すように、ハンドピース指１２の端部に備えられる３つの噴射ノズル１４は、それぞれハンドピース指１２の末端及びその両側に設けられ、多角度で温風を噴射するように構成されることにより、ユーザーがハンドピース指１２を利用して髪を触りながら毛髪の隅々を効果的に乾かすことができる。
【００３１】
このとき、上述した噴射ノズルは、ハンドピースの構造に応じて、ハンドピース指の端部以外にも、ハンドピースから毛髪に向かって温風を噴射することができる様々な位置に備えられてもよく、噴射ノズルの個数もハンドピースの構造に応じて調節可能である。
【００３２】
一方、デバイス本体２０は、外部から空気を吸入して風を発生させ、発生した風を加熱して、一対のハンドピース１０にそれぞれ連結される送風チューブ３０へ供給する役割を果たす。
【００３３】
このようなデバイス本体２０は、外部から空気を吸入して風を発生させる送風ファン２１と、送風ファン２１の内側に備えられ、送風ファン２１により吸入された空気を加熱して温風に切り替えるヒーター２２と、内部に送風ファン２１及びヒーター２２を設置し、ハンドピース１０と連結される送風チューブ３０に連結され、送風ファン２１及びヒーター２２により発生した温風を送風チューブ３０へ案内して流入させる送風ケース２３とを含んでなる。
【００３４】
このような構成により、送風ファン２１を介して外部の空気を送風ケース２３内に吸入して風を発生させると、送風ファン２１の内側に備えられるヒーター２２により、送風ケース２３内に吸入された空気が加熱されて温風に切り替えられ、送風ケース２３に連結された送風チューブ３０へ供給される。
【００３５】
また、デバイス本体２０には、電源を制御すると同時に、送風ファン２１とヒーター２２により発生する温風の温度および噴射量を調節するコントローラ（図示せず）が備えられる。
【００３６】
このようなコントローラ（図示せず）は、デバイス本体２０の電源を制御するとともに、送風ファン２１の回転速度及びヒーター２２の発熱温度を制御する制御モジュール（図示せず）と、制御モジュール（図示せず）に制御信号を入力してデバイス本体２０の電源をオン（ｏｎ）またはオフ（ｏｆｆ）させるとともに、温風の温度及び噴射量を設定するための制御ボタン２４とから構成される。
【００３７】
また、前記コントローラ（図示せず）には、デバイス本体２０の運転状態、温風の温度及び排出量を表示するディスプレイ部２５が備えられてもよい。
【００３８】
つまり、本実施例では、図１に示すように、ユーザーがデバイス本体２０の制御ボタン２４を操作して温風の温度を設定すると、制御モジュール（図示せず）に制御信号が入力され、制御ボタン２４により設定された温度に合わせてヒーター２２の発熱温度が制御されることにより、デバイス本体２０からユーザーにより設定された温度の温風が送風チューブ３０へ供給されてハンドピース１０の噴射ノズル１４を介して噴射され、これと同時にユーザーが制御ボタン２４を操作して温風の噴射量を大きく設定する場合には、制御モジュール（図示せず）の制御により送風ファン２１の回転速度が増加することにより、ハンドピース１０の噴射ノズル１４を介して噴射される温風の噴射量が増加する。さらに、ディスプレイ部２５には、ユーザーが確認することができるように機器の運転状態と、制御ボタン２４により設定された温風の温度及び排出量が表示される。
【００３９】
上述した説明では、コントローラの制御ボタン２４がデバイス本体２０の前面に備えられているが、本発明は必ずしもこのような構造を持たなければならないものではなく、ユーザーの便宜のために、一対のハンドピース１０のいずれか一方に、上述した制御ボタン２４と同じ機能を持つ補助制御ボタン２６をさらに備えて提供することもできる。
【００４０】
このとき、前記補助制御ボタン２６は、デバイス本体２０に備えられたコントローラの制御モジュール（図示せず）に別の信号伝送ライン（図示せず）を介して連結され、制御モジュール（図示せず）に制御信号を入力することができるように構成される。
【００４１】
一方、送風チューブ３０は、デバイス本体２０の送風ケース２３とハンドピース１０の噴射ノズル１４とを相互連結することにより、デバイス本体２０から流入する温風をハンドピース１０の噴射ノズル１４へ移送する役割を果たす。
【００４２】
このような送風チューブ３０は、一端部がデバイス本体２０の送風ケース２３に連結され、他端部がハンドピース１０に連結されるが、ここで、送風チューブ３０の他端部は、ハンドピース１０及びハンドピース指１２の背部分を貫いて設けられ、ハンドピース指１２に備えられた噴射ノズル１４の数だけ多岐に分岐されてハンドピース指１２の各噴射ノズル１４に連結される。
【００４３】
すなわち、図２に示すように、本実施例の送風チューブ３０は、一端部がデバイス本体２０に連結され、他端部がハンドピース１０に連結されるメイン送風チューブ３１と、メイン送風チューブ３１の他端部から５つに分岐され、それぞれのハンドピース指１２を貫いて設けられる第１補助送風チューブ３２と、それぞれの第１補助送風チューブ３２の末端から３つに分岐されてハンドピース指１２の端部に３つずつ備えられる噴射ノズル１４にそれぞれ連結される第２補助送風チューブ３３とから構成される。
【００４４】
このような構成により、デバイス本体２０を作動させると、デバイス本体２０から発生した温風がメイン送風チューブ３１を介して移送され、ハンドピース１０の各ハンドピース指１２に備えられた第１補助送風チューブ３２に流入し、流入した温風が、引き続きそれぞれの第１補助送風チューブ３２の末端から分岐された第２補助送風チューブ３３を介して移送され、それぞれのハンドピース指１２の端部に備えられた噴射ノズル１４を介して外部へ噴射される。
【００４５】
上述したような構成の本発明に係る多機能ヘアトリートメントデバイスは、ユーザーが両手にハンドピース１０を着用して、ハンドピース指１２に多数備えられた噴射ノズル１４を介して毛髪及び頭皮の隅々に温風を噴射することにより、短時間で毛髪及び頭皮を乾燥することができると同時に、相対的に低温の温風でも迅速かつ容易に毛髪及び頭皮を乾燥することができ、毛髪を触りながら乾燥することにより容易く様々なスタイルを演出することができるうえ、ハンドピース１０から露出した指の腹部分で頭皮に指圧を加えて乾燥する過程を介して頭皮の健康にも役立てることができる。
【００４６】
また、コントローラ（図示せず）を用いて、ハンドピース１０の噴射ノズル１４を介して噴射される温風の温度及び噴射量をユーザーの毛髪及び頭皮の状態に合わせて適切に調節して使用することができるため、毛髪及び頭皮の損傷を与えることなく、効果的に毛髪を乾燥することができる。
【００４７】
一方、本発明に係る多機能ヘアトリートメントデバイスには、毛髪及び頭皮に遠赤外線を照射する遠赤外線ランプ、陰イオンを発生させる陰イオン発生器、及び毛髪及び頭皮の水分状態を測定することができる水分測定器などを追加して構成することができる。
【００４８】
図４は本発明の一実施例に係るハンドピースに遠赤外線ランプ及び水分測定器をさらに備えた構造を示す図５は本発明の一実施例に係るデバイス本体内にイオン発生器をさらに備える構造を示す図である。
【００４９】
図４に示すように、ハンドピース１０においてそれぞれのハンドピース指１２に備えられた固定バンド１３に遠赤外線ランプ４０を備え、ユーザーがハンドピース１０を着用して噴射ノズル１４を介して毛髪を乾燥するか、或いはハンドピース１０から露出した指を利用してマッサージする過程で、毛髪及び頭皮に遠赤外線を照射することができる。
【００５０】
ここで、前記遠赤外線ランプ４０は、遠赤外線を発生するＬＥＤチップなどから簡便に構成することができる。このように構成された遠赤外線ランプは、公知の技術であって、これについての具体的な説明は省略する。
【００５１】
このように、遠赤外線ランプ４０を介して毛髪及び頭皮に遠赤外線を照射するように構成することにより、頭皮の血液循環を促進し、各種細菌の殺菌効果により脱毛を予防及び防止することができるとともに、頭皮及び損傷毛髪を保護するだけでなく、髪質を改善することができる。
【００５２】
このとき、前記遠赤外線ランプ４０は、ハンドピース１０に一体に備えず、別途の遠赤外線ランプ付きバンドを備えることにより、毛髪の乾燥または頭皮のマッサージの際に選択的に指に着脱して使用することもできる。
【００５３】
また、図４に示すように、ハンドピース１０においてそれぞれのハンドピース指１２のいずれか一つに水分測定器５０を備えることにより、毛髪乾燥過程で毛髪及び頭皮の水分状態を測定することができる。このような水分測定器５０も、公知の技術であって、これについての具体的な説明は省略する。
【００５４】
このように水分測定器５０を利用すれば、毛髪及び頭皮の水分状態を随時測定することができるため、毛髪及び頭皮の水分状態を適切に維持することができ、必要以上の毛髪及び頭皮の乾燥による損傷誘発を防止することができる。
【００５５】
また、図５に示すように、デバイス本体２０の送風ケース２３内で送風チューブ３０が連結された部分にイオン発生器６０を備えることにより、送風ファン２１及びヒーター２２により発生した温風に陰イオンをのせて送風チューブ３０に流入させることにより、ハンドピース１０（図１参照）の噴射ノズル１４（図１参照）を介して陰イオンを供給することができる。
【００５６】
これにより、毛髪を乾燥する過程で、陰イオンの含まれている温風が毛髪及び頭皮に噴射されることにより、毛髪及び頭皮の損傷を防止し、毛髪のツヤを増すうえ、頭皮の細胞を活性化させるなどの有益な効果を与えることができる。
【００５７】
ここで、上述した遠赤外線ランプ４０、水分測定器５０及び陰イオン発生器６０は、上述したコントローラ（図示せず）と電線及び／または信号伝送ラインなどを介して連結されて制御され、ユーザーがデバイス本体２０の制御ボタン２４（図１参照）またはハンドピース１０（図１参照）の補助制御ボタン２６（図１参照）を用いて便利に作動させることができる。
【００５８】
以下、図１〜図５を参照して、上述のように構成された本発明に係る多機能ヘアトリートメントデバイスの使用状況について説明する。
【００５９】
本発明に係る多機能ヘアトリートメントデバイスを用いて毛髪及び頭皮を乾燥するためには、まず、一対のハンドピース１０を両手に着用した後、デバイス本体２０に備えられた制御ボタン２４によって送風ファン２１及びヒーター２２を作動させることにより、デバイス本体２０から送風チューブ３０を介して流入する温風を、ハンドピース１０の各ハンドピース指１２に備えられた多数の噴射ノズル１４を介して噴射させる。
【００６０】
この過程で、ユーザーは、制御ボタン２４を操作して、噴射ノズル１４を介して噴射される温風の温度及び噴射量を自分の毛髪及び頭皮の状態に合わせて適切に調節して使用することができる。
【００６１】
温風の温度及び噴射量を調節した後、ユーザーは、それぞれのハンドピース指１２に備えられた多数の噴射ノズル１４から噴射される温風を用いて、毛髪及び頭皮の隅々を乾燥することができるとともに、毛髪を触りながら乾燥することができるため、様々なヘアスタイルを演出することができる。
【００６２】
上述のように、毛髪及び頭皮を乾燥する過程で、ユーザーが選択的に制御ボタン２４を操作して陰イオン発生器６０を作動させることができ、陰イオン発生器６０により発生する陰イオンを温風に乗せて毛髪及び頭皮に噴射することにより有益な効果を与えることができる。
【００６３】
さらに、ハンドピース指１２から露出した指を利用して頭皮をマッサージすることができるため、頭皮の健康に役立てることができ、この際には、図４に示すような遠赤外線ランプ４０を用いて毛髪及び頭皮に遠赤外線を照射することにより、頭皮の血液循環を促進し且つ髪質を改善することができる。
【００６４】
一方、毛髪及び頭皮の乾燥がある程度進行すると、ハンドピース指１２に備えられた水分測定器５０を用いて自分の毛髪及び頭皮の水分状態を測定することにより、毛髪及び頭皮の乾燥状態を認知することができ、その測定結果に応じて、毛髪及び頭皮の乾燥を続けるか或いは中断することができる。
【００６５】
前述したように、本発明に係る多機能ヘアトリートメントデバイスは、ユーザーが毛髪及び頭皮を乾かす際に、両手に一対のハンドピースを着用して指で頭皮及び毛髪をマッサージしながら、ハンドピース指に備えられた多数の噴射ノズルを介して毛髪及び頭皮の隅々に温風を噴射することにより、相対的に低温の温風でも毛髪及び頭皮の乾燥を迅速かつ容易に行うことができ、毛髪を触りながら乾燥することができて容易く所望のヘアスタイルを演出することができるという効果がある。
【００６６】
しかも、ハンドピースの着用時にユーザーの指が露出することにより、毛髪及び頭皮を乾燥する過程で指を利用して容易に頭皮をマッサージすることができるため、頭皮の健康にも役立てることができる。
【００６７】
また、デバイス本体に備えられたコントローラによって、ハンドピースの噴射ノズルを介して噴射される温風の温度及び噴射量を調節して使用することができるため、ユーザーの毛髪及び頭皮の状態に合わせて適切に調節することにより、効果的に毛髪を乾燥することができる。
【００６８】
また、本発明に係る多機能ヘアトリートメントデバイスには、遠赤外線ランプ、イオン発生器及び水分測定器が設置されており、ユーザーの毛髪及び頭皮に遠赤外線を照射し或いは陰イオンを供給することができるため、毛髪及び頭皮に有益な効果を与えることができ、水分測定器を用いて毛髪及び頭皮の水分状態を随時測定することができるため、必要以上の毛髪及び頭皮の乾燥による損傷誘発を防止することができるという効果がある。
【産業上の利用可能性】
【００６９】
本発明に係る多機能ヘアトリートメントデバイスは、ユーザーが毛髪及び頭皮を乾かす際に、両手に一対のハンドピースを着用して指で頭皮及び毛髪をマッサージしながら、ハンドピース指に備えられた多数の噴射ノズルを介して毛髪及び頭皮の隅々に温風を噴射することにより、容易く所望のヘアスタイルを演出することができるうえ、遠赤外線ランプ、イオン発生器及び水分測定器が設置されており、ユーザーの毛髪及び頭皮を体系的に管理することができるため、毛髪を管理する様々な店や家庭で有用に使用可能である。
【図１】
0006361732.tif 000002
【図２】
0006361732.tif 000003
【図３】
0006361732.tif 000004
【図４】
0006361732.tif 000005
【図５】
0006361732.tif 000006